(57)【要約】  化粧製品を塗布するための、パウダーパフなどの物品（１）であって、スペーサを形成するフィラメント（１３）の集合によって互いに結合された第１の層（１１）および第２の層（１２）を備え、スペーサの端部（１４、１５）がそれぞれ第１の層（１１）および第２の層（１２）につながっており、第１の層（１１）および第２の層（１２）が、織物および発泡体から成る群から選択される少なくとも１つの材料から作られる、物品（１）。
2021517051.tif 000002
【特許請求の範囲】
【請求項１】
化粧製品を塗布するための、パウダーパフなどの物品（１）であって、スペーサを形成するフィラメント（１３）の集合によって互いに結合された第１の層（１１）および第２の層（１２）を備え、前記スペーサの端部（１４、１５）がそれぞれ前記第１の層（１１）および前記第２の層（１２）につながっており、前記第１の層（１１）および前記第２の層（１２）が、織物および発泡体から成る群から選択される少なくとも１つの材料から作られる、物品（１）。
【請求項２】
特に端部部品（３０）の形態で、支持体（３１）に取り付けられる、請求項１に記載の物品（１）。
【請求項３】
支持体に取り付けられず、パウダーパフを構成する、請求項１に記載の物品（１）。
【請求項４】
少なくとも前記第１の層（１１）および前記第２の層（１２）をそれらの周縁部（１６）で互いに結合する周縁固着部を備える、請求項１から３のいずれか一項に記載の物品（１）。
【請求項５】
前記周縁固着部が、超音波または高周波溶着によって実現される、請求項４に記載の物品（１）。
【請求項６】
前記第１の層（１１）および前記第２の層（１２）の少なくとも一方の外面に取り付けられた少なくとも１つの柔らかい第３の層（１７ａ、１７ｂ）を備える、請求項１から５のいずれか一項に記載の物品（１）。
【請求項７】
前記第３の層（１７ａ、１７ｂ）が織物層である、請求項６に記載の物品。
【請求項８】
前記第３の層（１７ａ、１７ｂ）が、発泡体で作られた層である、請求項６に記載の物品。
【請求項９】
前記第３の層（１７ａ、１７ｂ）が、前記第１の層（１１）および前記第２の層（１２）の各々を覆い、前記物品の残部を覆うカバー（２７）を形成するようにその周縁部で固定され、前記第３の層（１７ａ、１７ｂ）の固着部（２８、２９）の全部または一部は、前記カバー（２７）が前記物品の残部から取り外し可能であるように、開けることができる、請求項６から８のいずれか一項に記載の物品（１）。
【請求項１０】
前記第３の層（１７ａ、１７ｂ）が、前記第１の層（１１）および前記第２の層（１２）の少なくとも一方に固定される、請求項６から８のいずれか一項に記載の物品。
【請求項１１】
前記第３の層（１７ａ、１７ｂ）が、前記第１の層（１１）および前記第２の層（１２）の少なくとも一方に接着され、前記物品が、前記第１の層（１１）および前記第２の層（１２）の少なくとも一方に付けられた、たとえば吹付け、スクリーンプリンティング、またはコーティングによって付けられた、接着剤の層（３２）を備える、請求項１０に記載の物品。
【請求項１２】
前記第３の層（１７ａ、１７ｂ）が、前記第１の層（１１）および前記第２の層（１２）の少なくとも一方に接着されず、単に前記物品の周縁部（１６）に溶着によって、特に超音波または高周波溶着によって固定され、この溶着が好ましくは、前記第１の層（１１）および前記第２の層（１２）を互いに結合する前記溶着と同時に行われる、請求項１０に記載の物品。
【請求項１３】
前記第１の層（１１）、前記第２の層（１２）、および前記第３の層（１７ａ、１７ｂ）の少なくとも一つが、ポリウレタン、ブタジエンゴム（ＢＲ）、スチレンブタジエンゴム（ＳＢＲ）、天然ゴム（ＮＲ）、含水ウレタン、乾燥ウレタン、ポリエーテル、ポリエステル、ポリ塩化ビニル、ポリエチレン、エチレン酢酸ビニル（ＥＶＡ）、ラテックス、シリコーン、スチレン−イソプレン−スチレン（ＳＩＳ）、ポリビニルアルコール（ＰＶＡ）、シリコーンエラストマー、ニトリルゴム、ブチルゴム、およびネオプレンから成る群から選択される発泡体を含む、請求項１から１２のいずれか一項に記載の物品。
【請求項１４】
前記第１の層、前記第２の層、および前記第３の層の少なくとも一つの厚さが、特に当該層が発泡体を含むとき、０．１〜２ｍｍ、特に０．２〜２ｍｍ、またはさらに０．３〜１ｍｍ、好ましくは０．３〜０．５ｍｍである、請求項１から１３のいずれか一項に記載の物品。
【請求項１５】
前記物品の周縁部（１６）とは異なる領域に前記物品の厚さの全部または一部にわたる少なくとも１つの溶着部（２５）を備える、請求項１から１４のいずれか一項に記載の物品。
【請求項１６】
前記第１の層（１１）および前記第２の層（１２）の少なくとも一方が、少なくとも１つの穿孔（２０、２１）、特に複数の穿孔を備え、前記穿孔が、非多角形の形状、特に円形、楕円形、蛋形、または長円形の形状である、請求項１から１５のいずれか一項に記載の物品。
【請求項１７】
請求項１から１６のいずれか一項に記載の１つまたは複数の物品（１）を含むパッケージ（４１）を含むキット（４０）。
【請求項１８】
請求項１から１６のいずれか一項に記載のパウダーパフの形態の少なくとも１つの物品（１）と、前記物品（１）を使用して塗布される少なくとも１つの化粧品組成物（Ｃ）とを備える化粧器具（５０）。
【請求項１９】
化粧品組成物（Ｃ）の貯蔵器と、前記物品（１）用の収納容器（６）とを備えるケース（２）を備え、この収納容器（６）が、前記ケース（２）の内部で前記物品（１）が前記化粧品組成物（Ｃ）と接触しないように製作されている、請求項１８に記載の化粧器具。
【発明の詳細な説明】
【技術分野】
【０００１】
本発明は、化粧品の分野に関し、より詳細には、限定はしないが、ヒトのケラチン物質、特に皮膚をメイクアップまたはケアすることを目的とする化粧物品に関する。
【背景技術】
【０００２】
皮膚に化粧製品を塗布することについては、様々なアプリケータが知られている。
【０００３】
これらは、スポンジ、ブラシ、ワイプ、およびフロック加工アプリケータを含む。
【先行技術文献】
【特許文献】
【０００４】
【特許文献１】国際公開第２０１２／１５３１３１号
【特許文献２】欧州特許第１８６３９５９号
【発明の概要】
【発明が解決しようとする課題】
【０００５】
使用者が新しい感覚的経験を享受することを可能にし、化粧品組成物を塗布するための優れた特性を示す新しいアプリケータの必要がある。
【課題を解決するための手段】
【０００６】
本発明は、したがって、化粧製品を塗布するためのパウダーパフなどの物品に関し、この物品は、スペーサを形成するフィラメントの集合によって互いに結合された第１の層よび第２の層を備え、スペーサの端部は、それぞれ第１の層および第２の層につながっている。
【０００７】
第１の実施形態では、第１の層および第２の層は、織布、不織布、およびニットから選択できる織物材料で作られる。
【０００８】
第２の実施形態では、第１の層および第２の層は、発泡体で作られる。
【０００９】
物品は、最初に使用する前は、化粧製品を含浸されていない。物品は、化粧製品を独立した容器から取り上げ、それを特に皮膚に塗布するために、または皮膚上にある化粧製品を取り除くもしくは混ぜ合わせるために使用される。物品は、化粧製品の蓄えを構成しない。
【００１０】
本発明による物品は、柔らかく、触り心地が良い。
【００１１】
本発明によって、第１の層と第２の層との間にスペーサが存在することに関連するスプリング効果を有する新しいアプリケータが利用可能である。スペーサは、圧力に対する著しい抵抗を示すことなく物品に厚みを与え、このようにして得られる柔らかさに関連する心地良い感触を付与する。
【００１２】
できるならば、物品は、第１の層と第２の層との間に発泡体がない。
【００１３】
物品は、特に端部部品の形態であるような場合は、支持体に取り付けられてもよい。支持体は、柄など、つかむための部材を構成してもよい。
【００１４】
代替として、物品は、支持体に取り付けられない。物品の全部または一部、特にスペーサを形成するフィラメントの集合は、抗菌処理を経ていてもよい。
【００１５】
物品は、洗えてもよい。スペーサは、通気空間を構成し、これは物品がすぐに乾くことを意味する。
【００１６】
有利には物品は、少なくとも第１および第２の層を結合する、有利には周縁の、固着部（ｆａｓｔｅｎｉｎｇ）を備える。固着部は、たとえば、超音波または高周波溶着によって実現される。その場合、スペーサは、固着部によって物品の内部に閉じ込められ、外側から見えない。そのような固着部、特に溶着は、第１および第２の層を形成する織物および／または発泡体の周縁部がほどけるのを防ぐことを可能にする。固着部はまた、塗布を使用者にとってより優しくすることを可能にする。
【００１７】
物品は、第１および／または第２の層の外面に取り付けられた、少なくとも１つの柔らかい第３の層、特に織物を備えてもよい。
【００１８】
第３の層は、第１の層および／または第２の層に固定されてもよい。たとえば、第３の層は、第１の層および／または第２の層に接着されてもよく、物品は、第１の層および／または第２の層に付けられた、たとえば、吹付け、スクリーンプリンティング、コーティング、または他の方法によって付けられた、接着剤の層を備える。第３の層は、その場合この接着剤の層に接着されてもよい。
【００１９】
代替として、第３の層は、縫い合わせ、溶着、接着次いで溶着、または任意の他の好適な固定手段によって、第１の層および／または第２の層に固定されてもよい。別の代替形態では、第３の層は、第１の層および／または第２の層に接着されないが、溶着によって、たとえば、超音波または高周波溶着によって、物品の周縁部に単に固定される。この溶着は、有利には、第１の層および第２の層を互いに結合する溶着と同時に行われる。したがって第３の層は、有利には、たとえば溶着によって、特に高周波または超音波溶着によって、それの周縁部で第１の層および第２の層に同時に固定される。
【００２０】
代替として、第３の層は、第１および／または第２の層に固定されない。たとえば、第３の層は、第１の層および第２の層の各々を覆い、たとえば少なくとも部分的に溶着によって、物品の残部を覆うカバーを形成するようそれの周縁部で固定される。第３の層の固定部の全部または一部は、その場合、カバーが物品の残部から取り外し可能であるように、開けることができてもよい。詳細には、固定部の一部は、ベルクロ（Ｖｅｌｃｒｏ）（登録商標）タイプのファスナーを使用して実現されてもよい。それは、洗浄もしくは取替えのために、またはたとえば、カバーがリバーシブルである場合、第３の層によって形成されたカバーを物品の残部から外すのに有利であるとわかることがある。
【００２１】
第３の層は、テクスチャード加工（ｔｅｘｔｕｒｅｄ）であっても、なくてもよい。第３の層は、織布、不織布、および発泡体から選ばれてもよい。第３の層は、感触にさらなる柔らかさを与えるために、マイクロファイバー、特にポリアミドおよび／またはポリエステル、またはアクリルなどの糸を含んでもよい。第３の層は、独立気泡（ｃｌｏｓｅｄ  ｃｅｌｌ）または連続気泡（ｏｐｅｎ  ｃｅｌｌ）を有する、好ましくは独立気泡を有する、発泡体、たとえば、ポリエチレンまたはポリウレタンフォームで作られてもよい。発泡体が独立気泡の発泡体であるとき、それはバリアを形成し、物品の内部が汚れるのを防ぐことを可能にし得る。
【００２２】
物品は、それの周縁部とは異なる領域にそれの厚さの全部または一部にわたる少なくとも１つの溶着部を備えてもよい。そのような溶着部が、つかむための領域もしくは化粧品組成物を塗布するための領域を定めることを可能にしてもよく、または物品に１つもしくは複数のパターンを作成することを可能にしてもよい。
【００２３】
物品は、円形、楕円形、正方形、長方形、台形の形状、正多角形もしくは不等辺多角形の形状、または別の形状を有してもよい。物品は、上から見ると、２〜８０ｃｍ２を占める面を有してもよい。成形は、カッティングによって、特にパンチまたはレーザーを適宜に使用して行われていてもよい。物品は、周縁部の切り取りおよび溶着が、たとえば超音波または高周波によって同時に行われて製造されてもよい。
【００２４】
詳細には、第３の層は、第３の層が覆う第１の層および／または第２の層にあらかじめ接着されておらず、第１の層および／または第２の層および／または他の第３の層に、超音波または高周波手段によって、切り取られ、溶着されてもよい。代替として、第３の層は、第３の層が覆う第１および／または第２の層に、超音波または高周波手段によって、切り取られ、溶着される前に、接着剤をコーティングされていてもよい。
【００２５】
物品の、特にパウダーパフの最長寸法は、１０ｍｍ〜１００ｍｍに含まれてもよく、好ましくは４０ｍｍ〜６０ｍｍに含まれる。
【００２６】
本発明は、第１の層について、および第２の層について、および必要に応じて第３の層について、材料、テクスチャ、および多孔率の幅広い選択肢を可能にする。これらは、したがって、所望のメイクアップの感触およびタイプに合うように容易に適応され得る。
【００２７】
第１の層、第２の層、および／または第３の層が、織物を含むとき、第１の層、第２の層、および／または第３の層を形成する織物は、たとえば、ポリアミド、エラスタン、ポリエステル、アクリル、ビスコース、アセテートなどの合成繊維および／またはマイクロファイバー、シルク、ウール、綿、リネン、ヘンプ、およびそれらの混合物などの天然繊維からなる群から選択される繊維および／またはマイクロファイバーで作られた糸を含む。織物は、好ましくは、合成繊維および／またはマイクロファイバーの混合物を含み、詳細にはポリアミドおよびエラスタンの混合物を含み、ポリアミドの比率が特に、重量で５０％を超え、好ましくは６０％を超え、特に７０％を超える。織物は、たとえば、ポリアミドおよびエラスタンマイクロファイバーで作られた糸の混合物を含む。織物は、表面処理、たとえばエンボス加工を経ていてもよい。
【００２８】
第１の層、第２の層、および／または第３の層が発泡体を含むとき、これは、ポリウレタン、ブタジエンゴム（ＢＲ）、スチレンブタジエンゴム（ＳＢＲ）、天然ゴム（ＮＲ）、含水（ｗｅｔｔｅｄ）ウレタン、乾燥（ｄｒｙ）ウレタン、ポリエーテル、ポリエステル、ポリ塩化ビニル、ポリエチレン、エチレン酢酸ビニル（ＥＶＡ）、ラテックス、シリコーン、スチレン−イソプレン−スチレン（ＳＩＳ）、ポリビニルアルコール（ＰＶＡ）、シリコーンエラストマー、ニトリルゴム、ブチルゴム、およびネオプレンからなる群から選択されてもよい。
【００２９】
そのような発泡体は、独立気泡の発泡体であってもよい。代替として、発泡体は、連続気泡の発泡体である。
【００３０】
第１の層、第２の層、および／または第３の層が作られる１つまたは複数の材料は、好ましくは、絹のような感触を物品に与えるように選ばれる。第１の層、第２の層、および／または第３の層が作られる１つまたは複数の材料は、第１の層、第２の層、および／または第３の層に弾性を与えるように選ばれてもよい。
【００３１】
第１の層および／または第２の層および／または第３の層は、肉眼では実質的につながっているように見えてもよい。「肉眼では」という表現は、正常視力の眼で１５ｃｍ離れて見られることを意味するものと理解されるべきである。代替として、第１の層および／または第２の層および／または第３の層は、肉眼では穿孔があいているように見える。その場合、第１の層および／または第２の層および／または第３の層は、少なくとも１つの穿孔、特に複数の穿孔を含む。
【００３２】
穿孔は、非多角形の形状であってもよく、たとえば、円形、楕円形、蛋形、長円形の形状であってもよい。詳細には、穿孔は、少なくとも１つの丸みを帯びた部分を含む形状を有してもよい。穿孔の全部が、同じ形状であってもよい。穿孔は、層一面に一様に分散されてもよい。
【００３３】
一般に、第１の層、第２の層、および／または第３の層上にある穿孔の最大寸法は、１ｍｍ〜１５ｍｍであってもよい。各穿孔の断面積は、１ｍｍ２〜１００ｍｍ２であってもよい。
【００３４】
第１の層は、第２の層および／または第３の層と、同じ織物から、同じ織り方もしくは編み方で作られてもよく、または同じ発泡体から作られてもよい。
【００３５】
代替として、第１の層は、第２および／または第３の層と比較して、異なる織物から、および／または異なる織り方もしくは編み方で作られる。後者の場合、それは、異なるメーキャップ効果を得ることを可能にする。代替として、層の一方は、特に皮膚への化粧製品の塗布に適しているが、層の他方は、メイクアップを仕上げるまたは混合するのにより適している。代替として、層の一方は、液体の化粧製品の塗布に適しているが、層の他方は、粉末の化粧製品の塗布に適している。第１の層および／または第２の層を覆う第３の層も同じである。第１の層を覆う第３の層は、第２の層を覆う第３の層と同一であっても、異なってもよい。
【００３６】
様々な層の色は、互いと同じであっても、異なってもよい。
【００３７】
第１および第２の層の対向する面の間でそれの中心において測定された、物品の厚さ、特にパウダーパフの厚さは、１ｍｍ〜３０ｍｍ、さらに良くは５ｍｍ〜２５ｍｍであってもよい。メイクアップ用途では、１〜１５ｍｍの厚さが好ましい場合があり、ケア用途では、５〜３０ｍｍの厚さが好ましい場合がある。
【００３８】
第１の層、第２の層、および第３の層の少なくとも一つの厚さは、特に当該層が発泡体を含むとき、０．１〜２ｍｍ、特に０．２〜２ｍｍ、またはさらに０．３〜１ｍｍ、好ましくは０．３〜０．５ｍｍに含まれてもよく、特に０．３５ｍｍに等しい。発泡体層は、したがって、比較的薄い厚さであり、これは、特に溶着が容易である、安価である、柔らかい、および変形可能である、特に気泡密度が高いとき、ソフトタッチを提供するという、いくつかの利点をもたらす。
【００３９】
スペーサのフィラメントは、第１の層および第２の層に垂直に向けられた少なくとも１つの部分を有してもよい。本発明の例示的な一実施形態では、フィラメントは各々、アーチ形状を有する。これは、パウダーパフにより大きい圧縮率を与え、第１の層および第２の層を互いに向かって動かすために加えられなければならない力を縮小することができる。できるならば、フィラメントは、各々、マルチ繊維フィラメントではなく単繊維フィラメント、または紡糸繊維によって作られたフィラメントである。これは、フィラメントにより大きい剛性を与え、したがって、パウダーパフの弾性およびそれの形状記憶に寄与する。
【００４０】
物品、特にパウダーパフは、好ましくは完全に合成材料、好ましくは熱可塑性物質で作られる。たとえば、物品、特にパウダーパフは、プラスチック材料の中でも、ポリエステル、ポリアミド、ポリオレフィンから選択される少なくとも１つの材料を含む。
【００４１】
物品、特にパウダーパフは、それの厚さに垂直な方向で見られるとき、交差するフィラメントを含んでもよい。これは、使用者が第１の層を押すとき、第１の層が第２の層に対して横方向にずれることなく、第１の層を第２の層に向かって移動させることができる。
【００４２】
第１の層および第２の層は、たとえば、織物で作られ、好ましくは編まれた糸で作られる。詳細には、スペーサを形成するフィラメントは、有利には、編むことによって第１の層および第２の層に結合される。フィラメント自体は、編まれてもよい。第１の層および第２の層は、ダブル針床を有する織機で編むことによって製作されてもよい。それは、ほどくことができない縦編みであっても、横編みであってもよい。
【００４３】
できるならば、本発明による物品は、第１の層と第２の層との間に取り付けられる、特に発泡体などの、中間吸収構造がない。物品、特にパウダーパフは、有利には、第１の層と第２の層との間に、たとえばＰＵ、ＳＢＲ、またはポリオレフィンフォームなどの発泡体の中間層がない。
【００４４】
化粧キット
【００４５】
本発明のさらなる主題は、少なくとも１つの、特に少なくとも２つの物品、特に上記で定義したパウダーパフを含むパッケージを含む化粧キットである。パッケージは、小袋または段ボール箱で構成されてもよい。
【００４６】
小袋は、場合によっては金属被覆された、熱可塑性材料で作られてもよい。小袋は、ヒートシールによって閉じられていてもよい。小袋は、引裂きの始めを構成する切欠きを有し、開封をより容易にしてもよい。小袋は、ポリオレフィンを含んでもよい。小袋は、密封されてもよい。
【００４７】
化粧器具
【００４８】
本発明のまた別の主題は、上記で定義したパウダーパフなどの少なくとも１つの物品と、物品を使用して塗布される少なくとも１つの化粧品組成物とを備える化粧器具である。
【００４９】
化粧品組成物は、体または顔用のメイクアップまたはケア組成物から、たとえばファンデーション、ルージュ、アイシャドウ、日焼け止めクリームから、選ばれてもよい。
【００５０】
化粧器具はまた、化粧品組成物の貯蔵器と、物品の収納容器とを含むケースを含んでもよい。収納容器は、ケースの内部で物品が化粧品組成物と接触しないように製作されてもよい。
【００５１】
ケースは、貯蔵器を含む本体と、蓋とを含んでもよい。物品用の収納容器は、ケースの本体と蓋との間の、貯蔵器の上部に設けられてもよい。物品は、収納容器の内部で固定されていなくてもよい。ケースの蓋は、本体にねじ込まれる、または蝶番で取り付けられる場合がある。ケースを閉じた構成にしておくために、スナップ嵌合または磁石ロックシステムが設けられてもよい。蓋は、上から見ると、長方形、楕円形、円形、または他の外形を有してもよい。ケースは、たとえば、熱可塑性材料で作られる。
【００５２】
ケースは、適切な場合、鏡が付いていてもよい。
【００５３】
ケースは、様々な方法で装飾された、たとえば金属被膜された、ペイントされた、スクリーン印刷された、または何らかの他の方法で装飾された、外表面を有してもよい。
【００５４】
メイクアップ法
【００５５】
本発明の態様の別のものによる、本発明のさらなる主題は、メイクアップ法であり、化粧品組成物を貯蔵器から取り上げるために、本発明による物品、特にパウダーパフを使用するステップと、物品を使用して、化粧品組成物をヒトのケラチン物質、特に皮膚に塗布するステップとを含む。
【図面の簡単な説明】
【００５６】
本発明のさらなる特徴および利点は、非限定の例示的な実施形態の以下の詳細な説明を読むことから、および添付の図面を調べることから、明らかになるであろう。
【図１】本発明による物品の一例の概略断面図である。
【図２】図１の物品の概略正面図である。
【図３】本発明による物品の第１の層のパターンの例を示す図である。
【図４】本発明による物品の第２の層のパターンの例を示す図である。
【図５】本発明による物品の第３の層のパターンの例を示す図である。
【図６】物品の代替形態を概略断面で示す図である。
【図７】物品の代替形態を概略断面で示す図である。
【図８】正面から概略的に表示した、本発明による物品の別の例を示す図である。
【図９】本発明による物品のキットの上からの眺めを概略的に示す図である。
【図１０】本発明による物品が入っている化粧器具の一例の概略断面図である。
【図１１】本発明による物品の別の例の図１と同様の図である。
【図１２】物品の代替形態を概略断面で示す図である。
【図１３】本発明による物品の別の例の図２と同様の図である。
【図１４】物品の代替形態を概略断面で示す図である。
【図１５】物品の代替形態を概略断面で示す図である。
【図１６】物品の代替形態を概略断面で示す図である。
【図１７】物品の代替形態を概略断面で示す図である。
【発明を実施するための形態】
【００５７】
残りの説明では、同一の要素、または同一の機能を有する要素は、同じ参照符号が記載されている。本明細書を簡明にするために、図の各々についてそれらを説明せず、実施形態間の違いのみを強調している。
【００５８】
図１に示す、本発明による物品１は、パウダーパフを構成する。このパウダーパフは、織物の第１の層１１と、織物の第２の層１２とを備える。第１および第２の層は、スペーサを形成するフィラメント１３の集合によって互いに結合され、スペーサの端部１４および１５は、それぞれ第１の層１１および第２の層１２につながっている。
【００５９】
この例では、パウダーパフ１は、支持体に取り付けられず、それ自体が、化粧製品を塗布するもしくは取り除く、または化粧製品を混ぜ合わせるためのアプリケータを形成する。
【００６０】
パウダーパフ１は、この例では超音波溶着によって製作された周縁固着部を備える。この周縁固着部は、スペーサを形成するフィラメント１３が外側から見えないことを確実にするために、第１の層１１を第２の層１２にそれらの周縁部１６で組み付ける。
【００６１】
この例の柔らかい層１７ａおよび１７ｂが、それぞれ第１の層１１および第２の層１２を覆う。
【００６２】
層１７ａおよび１７ｂもまた、それらの周縁部で、第１の層１１および第２の層１２に溶着される。
【００６３】
図２に示すパウダーパフ１は、正面図で、卵形の輪郭を有する。この例のパウダーパフ１の長さＬ１は５８ｍｍであり、幅Ｌ２は４７ｍｍである。
【００６４】
パウダーパフ１は、本発明の範囲から逸脱することなく、図２に示すものとは異なる形状を有し得る。詳細には、パウダーパフ１は、円形、円筒形、球形、正方形、長方形、楕円形、台形の形状、または他の多角形もしくは非多角形の形状を有する場合がある。
【００６５】
層１７ａおよび１７ｂは、この例では、それぞれ第１の層１１および第２の層１２に接着される。しかしながら、層１７ａおよび１７ｂが、別の方法で、たとえばスティッチング、溶着、ＰＵフォームの接着、接着剤の吹付けによって、または熱溶融糸を第１／第２の層に、もしくは層１７ａ／１７ｂに組み込み、次いで接着するために加熱することによって、第１の層１１および第２の層１２に固定される場合、本発明の範囲から逸脱しない。
【００６６】
第１の層１１、第２の層１２、およびフィラメント１３の集合は、出願国際公開第２０１２／１５３１３１  Ａ１号または欧州特許第１  ８６３  ９５９号の教示に従って編むことによって合成材料で製造されてもよい。好適である可能性がある織物構造の例は、「スペーサファブリック（ＳＰＡＣＥＲ  ＦＡＢＲＩＣ）」の名称で衣料用途（ｔｅｘｔｉｌｅ  ａｐｐｌｉｃａｔｉｏｎ）で市販されている。
【００６７】
スペーサを形成するフィラメント１３の長さは、たとえば、１〜２５ｍｍ、さらに良くは６〜１０ｍｍである。
【００６８】
本発明は、速く乾くように、通気空間を構成するスペーサがある、洗うことができるパウダーパフを利用可能にする。パウダーパフは、抗菌処理を経てもよい。
【００６９】
パウダーパフ１は、スペーサの存在のおかげで、スプリング効果がある。圧力に対するスペーサの抵抗は小さく、使用中、使用者は、心地良さおよび柔らかさの感じを受ける。
【００７０】
多数の織物材料、特に布地、織布、編物および／もしくは不織布、ならびに／または発泡体を選ぶことが可能であり、それらから第１の層１１、第２の層１２、および層１７ａおよび１７ｂを作成する。詳細には、第１の層１１または第２の層１２は、好ましくは織布またはニットから作成される。層１７ａおよび１７ｂは、好ましくは発泡体、たとえば独立気泡のポリウレタンフォームで作成される。編むことによって製作されるとき、層は特に、ほどくことができない縦編みを使用して、または横編みを使用して、製作されてもよい。スペーサを形成するフィラメント１３は、有利には、編むことによって第１の層１１および第２の層１２につながっている。
【００７１】
図示の例では、図３に見られるように、第１の層１１は、小さい楕円形状の穿孔２１を付けて製作される。
【００７２】
図５に示す第２の層１２は、最長寸法Ｌが１ｍｍ〜５ｍｍである長円形状の大きい穿孔２０を有する。
【００７３】
第１の層および第２の層は、同一であってもよい。
【００７４】
特に物品が洗える場合、これらの層の少なくとも１つは、穿孔がなくてもよい。第１の層および／または第２の層は、ジャカードパターンを含んでもよい。
【００７５】
層１７ａは、図４に見られるように、より密に編まれた構造を有してもよい。この例では、層１７ｂは、層１７ａと同一である。層１７ａ、１７ｂは、有利には、使用者の感覚的経験をさらに高めるために、パウダーパフ１に絹のような感触を与えるようにポリアミドマイクロファイバーの糸を含む。また層１７ａ、１７ｂは、好ましくは、パウダーパフ１に弾性を与えるために、エラスタンファイバーを含む。
【００７６】
様々な層１１、１２、１７ａ、１７ｂのメッシュ構造のタイプは、所望の用途に適するように構成される。この例では、層１７ａおよび１７ｂは、使用者が触れる層である。
【００７７】
代替として、層１７ａおよび１７ｂは、異なっていてもよい。一方は、化粧製品を塗布するのに適していてもよく、他方は、化粧製品がケラチン物質に塗布されると、化粧製品を混合するのに適していてもよい。
【００７８】
フィラメント１３は、様々な方法で向きを定められてもよい。図示の例では、フィラメント１３は交差し、すなわち、凹面が反対方向を向いているフィラメント１３ａおよび１３ｂがある。
【００７９】
図６に示す例では、フィラメント１３はすべて、凹面が常に同じ方向を向いて、実質的に同じように湾曲している。さらにこの例では、層１７ｂは存在せず、第２の層１２は、物品の外側層を構成している。使用者は、パウダーパフの一方の側で第２の層１２に触れ、反対側で第３の層１７ａに触れる。
【００８０】
図７の例では、パウダーパフ１は、層１７ａおよび層１７ｂがなく、外側層として層１１および層１２のみを含む。
【００８１】
図８の例では、物品１は、この例では柄の形態の、つかむための部材を構成する支持体３１に取り付けられた端部部品３０を構成する。
【００８２】
図９は、複数のパウダーパフ１を収納するパッケージ４１を含む、本発明による化粧物品のキット４０を示す。パッケージ４１は、ヒートシールによって閉じられた熱可塑性小袋であり、クロージャゾーン４２はこの図で見ることができる。
【００８３】
図１０は、化粧品組成物Ｃを含浸される材料の形態の貯蔵器を収納する本体３を備えるケース２を備える、本発明による化粧器具５０を示す。
【００８４】
この例では、環状リップ９が、貯蔵器を所定の位置に保持する。
【００８５】
ケース２は、図示のように、パウダーパフ１を受け入れるための収納容器６を形成するアプリケータホルダーを備える。アプリケータホルダーは、本体３に蝶番で取り付けられてもよい。アプリケータホルダーは、パウダーパフ１を化粧品組成物から分離し、これらがケースの内部で互いに接触することを防ぐ。
【００８６】
ケース２はまた、本体３に蝶番で取り付けられた蓋５を備える。蓋５の内面は、鏡４５を装着される。
【００８７】
メイクアップまたはケア動作を行うために、使用者は使用者の指でパウダーパフ１をつかみ、それを使用して貯蔵器から化粧品組成物Ｃを取り上げ、それを皮膚に塗布する。
【００８８】
特に形状が異なり、第１の層、第２の層、および他の層を形成する織物材料が異なり、フィラメントのスペーサ形成が異なり、支持体の形状が異なる、物品１の他の代替的形態が可能である。
【００８９】
図１１は、第３の層１７ａおよび１７ｂが発泡体で作られる、特に独立気泡のポリウレタンフォームで作られる物品１の一例を示す。発泡体の各層の厚さは、約０．３５ｍｍであり、このように厚さが小さいために、下にある層１１または１２の形状に完全に一致することができる。発泡体は、使用者が心地良いとわかる絹のような感触を発泡体に与えるために、有利には高い気泡密度を有する。この例でも、第３の層１７ａおよび１７ｂは、接着剤をコーティングされ、その後周縁部１６で切られ、超音波溶着される。第３の層１７ａおよび１７ｂが接着されず、単に溶着される場合は、本発明の範囲から逸脱しない。
【００９０】
図１２の例では、物品１は、第１の層１１と第２の層１２とを備え、これらは薄い発泡体から作られ、たとえば厚さ０．３ｍｍのポリウレタンフォームで作られる。
【００９１】
図１３の物品１の例は、物品１の周縁ではない領域に配置される少なくとも部分的溶着部２５を製作できることを示す。この例では、この溶着が、物品１をつかむための領域２６を定めることを可能にする。
【００９２】
図１４では、物品１は、第１の層１１および第２の層１２に接着も、固定もされていないが、それらの周縁部で、たとえば部分的溶着によって、互いに固定された、発泡体で作られた層１７ａおよび１７ｂを備える。層１７ａおよび１７ｂを互いに固定するための一方の部分２８は、したがって溶着によって固定されるが、もう一方の互いに固定する部分２９は、ベルクロ（登録商標）ストリップで固定され、取り外し可能である。層１７ａおよび１７ｂは、したがって取り外し可能なカバー２７を形成し、カバーが物品１の残部から外されることを可能にし、たとえばカバーを洗うまたは取り替えることができる。カバー２７は、さらにリバーシブルであってもよい。
【００９３】
図１５では、図７の例と同様に、パウダーパフ１は、外側層として層１１および層１２のみを有する。図１５の例では、溶着部が、たとえば超音波または高周波溶着を使用して、周縁部１６に作成されている。
【００９４】
図１６の例では、接着剤の層３２、たとえば糊の層３２が、層１１に付けられ、次いで層１７ａは、接着剤接合（ａｄｈｅｓｉｖｅ  ｂｏｎｄｉｎｇ）によって層１１に固定される。接着剤の層３２は、たとえば、吹付けによって、スクリーンプリンティングによって、コーティングによって、または別の方法によって付けられる。当然ながら、層１２もまた接着剤の層で覆われ、これに層１７ｂが外側から固定されている場合、本発明の範囲から逸脱しない。
【００９５】
図１７の実施形態では、層１７ａは層１１に接着によって固定されず、この図では層１７ａと層１１との間の空間を見ることができる。一方、層１７ａは、溶着、たとえば超音波または高周波溶着によって周縁部１６で固定される。この溶着は、有利には、層１１および層１２を互いに結合する溶着と同時に行われる。当然ながら、層１２が、層１７ａと同様にして固定された層１７ｂで外側から覆われる場合、本発明の範囲から逸脱しない。
【符号の説明】
【００９６】
１  物品、パウダーパフ
２  ケース
３  本体
５  蓋
６  収納容器
９  環状リップ
１１  織物の第１の層
１２  織物の第２の層
１３  フィラメント
１４  スペーサの端部
１５  スペーサの端部
１６  周縁部
１７ａ、１７ｂ  第３の層
２５  溶着部
２７  カバー
２８  固定する部分
２９  固定する部分
３０  端部部品
３１  支持体
３２  接着剤の層
４０  キット
４１  パッケージ
４２  クロージャゾーン
４５  鏡
５０  化粧器具
【図１】
2021517051.tif 000003
【図２】
2021517051.tif 000004
【図３】
2021517051.tif 000005
【図４】
2021517051.tif 000006
【図５】
2021517051.tif 000007
【図６】
2021517051.tif 000008
【図７】
2021517051.tif 000009
【図８】
2021517051.tif 000010
【図９】
2021517051.tif 000011
【図１０】
2021517051.tif 000012
【図１１】
2021517051.tif 000013
【図１２】
2021517051.tif 000014
【図１３】
2021517051.tif 000015
【図１４】
2021517051.tif 000016
【図１５】
2021517051.tif 000017
【図１６】
2021517051.tif 000018
【図１７】
2021517051.tif 000019
【手続補正書】
【提出日】令和2年10月22日(2020.10.22)
【手続補正１】
【補正対象書類名】特許請求の範囲
【補正対象項目名】全文
【補正方法】変更
【補正の内容】
【特許請求の範囲】
【請求項１】
化粧製品を塗布するための、パウダーパフなどの物品（１）であって、スペーサを形成するフィラメント（１３）の集合によって互いに結合された第１の層（１１）および第２の層（１２）を備え、前記スペーサの端部（１４、１５）がそれぞれ前記第１の層（１１）および前記第２の層（１２）につながっており、前記第１の層（１１）および前記第２の層（１２）が、織物および発泡体から成る群から選択される少なくとも１つの材料から作られる、物品（１）。
【請求項２】
特に端部部品（３０）の形態で、支持体（３１）に取り付けられる、請求項１に記載の物品（１）。
【請求項３】
支持体に取り付けられず、パウダーパフを構成する、請求項１に記載の物品（１）。
【請求項４】
少なくとも前記第１の層（１１）および前記第２の層（１２）をそれらの周縁部（１６）で互いに結合する周縁固着部を備え、
前記周縁固着部が、超音波または高周波溶着によって実現される、請求項１から３のいずれか一項に記載の物品（１）。
【請求項５】
前記第１の層（１１）および前記第２の層（１２）の少なくとも一方の外面に取り付けられた少なくとも１つの柔らかい第３の層（１７ａ、１７ｂ）を備え、前記第３の層（１７ａ、１７ｂ）が織物層である、請求項１から４のいずれか一項に記載の物品（１）。
【請求項６】
前記第１の層（１１）および前記第２の層（１２）の少なくとも一方の外面に取り付けられた少なくとも１つの柔らかい第３の層（１７ａ、１７ｂ）を備え、前記第３の層（１７ａ、１７ｂ）が、発泡体で作られた層である、請求項１から４のいずれか一項に記載の物品。
【請求項７】
前記第３の層（１７ａ、１７ｂ）が、前記第１の層（１１）および前記第２の層（１２）の各々を覆い、前記物品の残部を覆うカバー（２７）を形成するようにその周縁部で固定され、前記第３の層（１７ａ、１７ｂ）の固着部（２８、２９）の全部または一部は、前記カバー（２７）が前記物品の残部から取り外し可能であるように、開けることができる、請求項５または６に記載の物品（１）。
【請求項８】
前記第３の層（１７ａ、１７ｂ）が、前記第１の層（１１）および前記第２の層（１２）の少なくとも一方に固定され、前記第３の層（１７ａ、１７ｂ）が、前記第１の層（１１）および前記第２の層（１２）の少なくとも一方に接着され、前記物品が、前記第１の層（１１）および前記第２の層（１２）の少なくとも一方に付けられた、たとえば吹付け、スクリーンプリンティング、またはコーティングによって付けられた、接着剤の層（３２）を備える、請求項５または６に記載の物品。
【請求項９】
前記第３の層（１７ａ、１７ｂ）が、前記第１の層（１１）および前記第２の層（１２）の少なくとも一方に固定され、前記第３の層（１７ａ、１７ｂ）が、前記第１の層（１１）および前記第２の層（１２）の少なくとも一方に接着されず、単に前記物品の周縁部（１６）に溶着によって、特に超音波または高周波溶着によって固定され、この溶着が好ましくは、前記第１の層（１１）および前記第２の層（１２）を互いに結合する前記溶着と同時に行われる、請求項５または６に記載の物品。
【請求項１０】
前記第１の層（１１）、前記第２の層（１２）、および前記第３の層（１７ａ、１７ｂ）の少なくとも一つが、ポリウレタン、ブタジエンゴム（ＢＲ）、スチレンブタジエンゴム（ＳＢＲ）、天然ゴム（ＮＲ）、含水ウレタン、乾燥ウレタン、ポリエーテル、ポリエステル、ポリ塩化ビニル、ポリエチレン、エチレン酢酸ビニル（ＥＶＡ）、ラテックス、シリコーン、スチレン−イソプレン−スチレン（ＳＩＳ）、ポリビニルアルコール（ＰＶＡ）、シリコーンエラストマー、ニトリルゴム、ブチルゴム、およびネオプレンから成る群から選択される発泡体を含む、請求項１から９のいずれか一項に記載の物品。
【請求項１１】
前記第１の層、前記第２の層、および前記第３の層の少なくとも一つの厚さが、特に当該層が発泡体を含むとき、０．１〜２ｍｍ、特に０．２〜２ｍｍ、またはさらに０．３〜１ｍｍ、好ましくは０．３〜０．５ｍｍである、請求項１から１０のいずれか一項に記載の物品。
【請求項１２】
前記物品の周縁部（１６）とは異なる領域に前記物品の厚さの全部または一部にわたる少なくとも１つの溶着部（２５）を備える、請求項１から１１のいずれか一項に記載の物品。
【請求項１３】
前記第１の層（１１）および前記第２の層（１２）の少なくとも一方が、少なくとも１つの穿孔（２０、２１）、特に複数の穿孔を備え、前記穿孔が、非多角形の形状、特に円形、楕円形、蛋形、または長円形の形状である、請求項１から１２のいずれか一項に記載の物品。
【請求項１４】
請求項１から１３のいずれか一項に記載の１つまたは複数の物品（１）を含むパッケージ（４１）を含むキット（４０）。
【請求項１５】
請求項１から１３のいずれか一項に記載のパウダーパフの形態の少なくとも１つの物品（１）と、前記物品（１）を使用して塗布される少なくとも１つの化粧品組成物（Ｃ）と、化粧品組成物（Ｃ）の貯蔵器と、前記物品（１）用の収納容器（６）とを備えるケース（２）と、を備え、この収納容器（６）が、前記ケース（２）の内部で前記物品（１）が前記化粧品組成物（Ｃ）と接触しないように製作されている、化粧器具（５０）。
【国際調査報告】
2021517051.tif 000020
2021517051.tif 000021